(57)【要約】【課題】原稿画像より任意位置、任意サイズの画像を選択して、大判画像データの任意位置画像を小判記録紙に記録できる画像形成装置を提供すること。【解決手段】操作制御手段２４は、終点座標が設定された場合には、記録紙サイズを補完設定し（Ｓ１２）、一方、記録紙サイズが設定された場合には、終点座標を補完設定し（Ｓ１３）、表示する（Ｓ１４）。原稿挿入により（Ｓ１５）、画像読取手段４０による原稿画像の読取を開始する。読取られた画像データは画像記憶手段４２により、記憶装置４３に蓄積される（Ｓ１６）。画像記憶手段４２は、設定された任意位置画像を、記憶装置４３への蓄積を開始したことを画像記録手段４４に通知する。画像記録手段４４は、画像記憶手段４２より蓄積された原稿画像データの内、操作制御手段２４によって設定された任意位置画像データを受け取り、設定されたサイズの記録紙に記録を行う（Ｓ１７）。【選択図】      図２
2004226837.tif 000002
【特許請求の範囲】
【請求項１】
ユーザーから各種入力を受け付ける操作装置と、原稿画像を読み取る画像読取手段と、この画像読取手段で読み取った画像データを記憶する画像記憶手段と、この画像記憶手段に記憶された画像データを用紙に記録する画像記録手段とを備え、
前記操作装置により原稿画像のうち複写を行いたい箇所の複写始点座標入力を受け付け、且つ原稿画像のうち複写を行いたい箇所の複写終点座標入力もしくは保有する記録紙のサイズを選択的に設定を受け付け、
この操作装置により受け付けた情報に基づき前記画像読取手段が原稿画像を読み取り、前記画像読取手段が読み取った画像データを前記画像記憶手段が記憶し、この画像記憶手段に記憶された画像データを前記画像記録手段が用紙に記録し、且つ前記画像記憶手段が原稿画像の任意位置および任意サイズを保持することを特徴とする画像形成装置。
【請求項２】
前記操作装置から原稿画像のうち複写を行いたい箇所の複写終点座標を選択して指定された際に、指定された始点座標との差異から指定された任意画像のサイズを算出し、保有する記録紙の内、指定された任意画像の記録が可能な最小サイズの記録紙を設定し、この設定された記録紙に前記記録手段が記録することを特徴とする請求項１記載の画像形成装置。
【請求項３】
前記操作装置から保有する記録紙のサイズを選択して指定された際に、指定された始点座標から記録紙サイズ分を増分させることにより終点座標を算出して設定することを特徴とする請求項１記載の画像形成装置。
【請求項４】
指定された任意の画像始点および記録紙サイズを表示する情報表示手段を備えたことを特徴とする請求項２または請求項３記載の画像形成装置。
【請求項５】
前記画像記憶手段に記憶された画像データの内、請求項２ないし請求項３にて設定された任意位置画像のみを前記画像記録手段に送ることを特徴とする請求項２、請求項３または請求項４記載の画像形成装置。
【請求項６】
前記画像記録手段は、前記画像記憶手段より取得した任意位置画像を設定されたサイズの記録紙に記録することを特徴とする請求項５記載の画像形成装置。
【発明の詳細な説明】
【０００１】
【発明の属する技術分野】
本発明は、大判の画像データの取り扱い、原稿画像の位置および複写サイズの指定が可能な任意画像位置複写機能を有する画像形成装置に関する。
【０００２】
【従来の技術】
従来の画像形成装置において、任意位置画像の複写機能を有する装置も存在していたが、いずれも任意位置の指定方法として副走査地点および任意サイズとして複写長を指定するものであった。主走査方向の幅は原稿のそれに固定されており、複写濃度の確認などの試しコピー的な意味合いの強い機能であった。
【特許文献１】
特開平５−１１０８０４号公報
この特許文献１には、これら従来の画像形成装置が有する任意位置複写機能が開示されている。
【０００３】
【発明が解決しようとする課題】
従来の大判画像形成装置では、記録紙をロール紙にて給紙する機構を有する装置が多く、小判な記録紙に任意位置画像を記録するという機能は給紙可能な記録紙サイズに制限があるなど現実的でなく、任意位置複写機能は、画像幅は原稿と同じサイズで出力するという試しコピーとしての性格が強い機能であった。
そこで、本発明の目的は、同時に多様なサイズの記録紙を扱うことが可能になり、且つ原稿画像より任意位置、任意サイズの画像を選択して、大判画像データの任意位置画像を小判記録紙に記録することを可能とした画像形成装置を提供することである。
【０００４】
【課題を解決するための手段】
請求項１記載の発明では、ユーザーから各種入力を受け付ける操作装置と、原稿画像を読み取る画像読取手段と、この画像読取手段で読み取った画像データを記憶する画像記憶手段と、この画像記憶手段に記憶された画像データを用紙に記録する画像記録手段とを備え、前記操作装置により原稿画像のうち複写を行いたい箇所の複写始点座標入力を受け付け、且つ原稿画像のうち複写を行いたい箇所の複写終点座標入力もしくは保有する記録紙のサイズを選択的に設定を受け付け、この操作装置により受け付けた情報に基づき前記画像読取手段が原稿画像を読み取り、前記画像読取手段が読み取った画像データを前記画像記憶手段が記憶し、この画像記憶手段に記憶された画像データを前記画像記録手段が用紙に記録し、且つ前記画像記憶手段が原稿画像の任意位置および任意サイズを保持することにより、前記目的を達成する。
【０００５】
請求項２記載の発明では、請求項１記載の発明において、前記操作装置から原稿画像のうち複写を行いたい箇所の複写終点座標を選択して指定された際に、指定された始点座標との差異から指定された任意画像のサイズを算出し、保有する記録紙の内、指定された任意画像の記録が可能な最小サイズの記録紙を設定し、この設定された記録紙に前記記録手段が記録することを特徴とする。
請求項３記載の発明では、請求項１記載の発明において、前記操作装置から保有する記録紙のサイズを選択して指定された際に、指定された始点座標から記録紙サイズ分を増分させることにより終点座標を算出して設定することを特徴とする。
請求項４記載の発明では、請求項２または請求項３記載の発明において、指定された任意の画像始点および記録紙サイズを表示する情報表示手段を備えたことを特徴とする。
【０００６】
請求項５記載の発明では、請求項２、請求項３または請求項４記載の発明のおいて、前記画像記憶手段に記憶された画像データの内、請求項２ないし請求項３にて設定された任意位置画像のみを前記画像記録手段に送ることを特徴とする。請求項６記載の発明では、請求項５記載の発明において、前記画像記録手段は、前記画像記憶手段より取得した任意位置画像を設定されたサイズの記録紙に記録することを特徴する。
【０００７】
【発明の実施の形態】
以下、本発明の好適な実施の形態について、図１から図２を参照して詳細に説明する。
図１は、本実施例に係る画像形成装置の構成を示したブロック図である。
まず、操作装置２０は、条件設定入力手段２２、操作制御手段２４、情報表示手段２６とを備えている。この条件設定入力手段２２は、ユーザーが各種入力を行う操作パネル１０と、情報表示手段２６は、ユーザーに各種の情報を提示する情報表示装置１２と、それぞれ接続している。
この操作装置２０は、設定条件３０を介して画像読取手段４０、画像記憶手段４２、画像記録手段４４をコントロールしている。画像読取手段４０で読み取った画像データは、画像記憶手段４２の記憶装置４３に記憶され、この画像データは、画像記録手段４４により所定の用紙に印字されて、外部へ出力されるようになっている。
【０００８】
次に、図２のフローチャートを参照して本実施例の処理手順を説明する。
まず、ユーザーは、操作パネル１０より、任意位置画像複写機能の設定を行う（ステップ１０）。ここでの設定項目としは下記の項目がある。すなわち、（１）原稿サイズ（主走査幅もしくは定形用紙サイズ）、（２）複写始点座標（ｘ、ｙ二点）、（３）複写終点座標（ｘ、ｙ二点）もしくは記録紙サイズ（給紙可能な定形記録紙を選択設定）である。
その後、終点座標設定または定型記録紙サイズ設定かを判断する（ステップ１１）。ここで、操作制御手段２４は、終点座標が設定された場合には（ステップ１１；終点座標設定）、記録紙サイズを補完設定し（ステップ１２）、一方、記録紙サイズが設定された場合には（ステップ１１；記録紙サイズ設定）、終点座標を補完設定し（ステップ１３）、情報表示手段２６により情報表示装置１２に表示する（ステップ１４）。
【０００９】
そして、操作者による原稿挿入（もしくは複写開始指示）により（ステップ１５）、画像読取手段４０による原稿画像の読み取りを開始する。読み取られた画像データは画像記憶手段４２により、記憶装置４３に蓄積される（ステップ１６）。
画像記憶手段４２は、操作制御手段２４により設定された任意位置画像を、記憶装置４３への蓄積を開始したことを画像記録手段４４に通知する。
画像記録手段４４は、画像記憶手段４２より蓄積された原稿画像データの内、操作制御手段２４によって設定された任意位置画像データを受け取り、設定されたサイズの記録紙に記録を行う（ステップ１７）。
【００１０】
【発明の効果】
本発明によれば、操作者が必要とする大判原稿の任意位置画像を簡易な操作で小判記録紙に記憶することが出来る。同時に、操作制御手段によって終点座標もしくは記録紙サイズを補完設定することで、煩雑な設定を必要とせずに簡易な操作で同機能を利用することが出来る。
【図面の簡単な説明】
【図１】本発明の実施例に係る画像形成装置の構成を示したブロック図である。
【図２】本実施例の処理手順を説明するためのフローチャートである。
【符号の説明】
１０  操作パネル
１２  情報表示装置
２０  操作装置
２２  条件設定入力手段
２４  操作制御手段
２６  情報表示手段
３０  設定条件
４０  画像読取手段
４２  画像記憶手段
４３  記憶装置
４４  画像記録手段
【図１】
2004226837.tif 000003
【図２】
2004226837.tif 000004